(57)【特許請求の範囲】
【請求項１】
無端環状の２列のリングを並列して収容する凹部が形成されるとともに、その凹部における左右の内側面の開口端側に前記２列のリングを係合させてその離脱を防止する抜け止め部が形成された多数のエレメントを、前記開口端側が外周側となるように環状に配列し、その環状に配列されたエレメントの列における前記両抜け止め部の内周側に前記２列のリングを嵌め込んで組み付けた伝動ベルトにおいて、
前記２列のリングは、互いに周長が同じでかつ形状が異なる２種類の分割リングにより構成されていることを特徴とする伝動ベルト。
【請求項２】
前記２列のリングは、厚さ方向における外周側が内周側よりも幅が狭い第１分割リングと、該第１分割リングと共に並列して前記凹部に収容されるとともに前記外周側が内周側よりも幅が広い第２分割リングとを含むことを特徴とする請求項１に記載の伝動ベルト。
【請求項３】
前記２列のリングは、相対的に幅が狭い第１外層リングと該第１外層リングの内周側に配置されるとともに該第１外層リングよりも幅が広い第１内層リングとから形成された第１分割リングと、該第１分割リングと共に並列して前記凹部に収容されるとともに、相対的に幅が広い第２外層リングと該第２外層リングの内周側に配置されるとともに該第２外層リングよりも幅が狭い第２内層リングとから形成された第２分割リングとを含むことを特徴とする請求項１に記載の伝動ベルト。
【請求項４】
前記２列のリングは、相対的に幅が狭い幅狭分割リングと、該幅狭分割リングと共に並列して前記凹部に収容されるとともに該幅狭分割リングよりも幅が広い幅広分割リングとを含むことを特徴とする請求項１に記載の伝動ベルト。
【請求項５】
前記幅広分割リングは、前記幅狭分割リングよりも少なくとも１．５倍以上幅が広い分割リングを含むことを特徴とする請求項４に記載の伝動ベルト。
【請求項６】
無端環状の２列のリングを並列して収容する凹部が形成されるとともに、その凹部における左右の内側面の開口端側に前記２列のリングを係合させてその離脱を防止する抜け止め部が形成された多数のエレメントを、前記開口端側が外周側となるように環状に配列し、その環状に配列されたエレメントの列における前記両抜け止め部の内周側に前記２列のリングを嵌め込んで組み付ける伝動ベルトの組み付け方法において、
前記２列のリングは、互いに周長が同じでかつ形状が異なる２種類の分割リングにより構成されていて、
いずれか一方の前記抜け止め部の内周側にいずれか一方の前記分割リングを嵌め込み、その後、他方の前記抜け止め部の内周側に他方の前記分割リングを嵌め込んで組み付けることを特徴とする伝動ベルトの組み付け方法。
【請求項７】
前記２列のリングは、厚さ方向における外周側が内周側よりも幅が狭い第１分割リングと、該第１分割リングと共に並列して前記凹部に収容されるとともに前記外周側が内周側よりも幅が広い第２分割リングとを含み、
いずれか一方の前記抜け止め部の内周側に前記第１分割リングを嵌め込み、その後、他方の前記抜け止め部の内周側に前記第２分割リングを嵌め込んで組み付けることを特徴とする請求項６に記載の伝動ベルトの組み付け方法。
【請求項８】
前記２列のリングは、相対的に幅が狭い第１外層リングと該第１外層リングの内周側に配置されるとともに該第１外層リングよりも幅が広い第１内層リングとから形成された第１分割リングと、該第１分割リングと共に並列して前記凹部に収容されるとともに、相対的に幅が広い第２外層リングと該第２外層リングの内周側に配置されるとともに該第２外層リングよりも幅が狭い第２内層リングとから形成された第２分割リングとを含み、
いずれか一方の前記抜け止め部の内周側に前記第１分割リングを嵌め込み、その後、他方の前記抜け止め部の内周側に前記第２分割リングを嵌め込んで組み付けることを特徴とする請求項６に記載の伝動ベルトの組み付け方法。
【請求項９】
前記２列のリングは、相対的に幅が狭い幅狭分割リングと、該幅狭分割リングと共に並列して前記凹部に収容されるとともに該幅狭分割リングよりも幅が広い幅広分割リングとを含み、
いずれか一方の前記抜け止め部の内周側に前記幅狭分割リングを嵌め込み、その後、他方の前記抜け止め部の内周側に前記幅広分割リングを嵌め込んで組み付けることを特徴とする請求項６に記載の伝動ベルトの組み付け方法。
【請求項１０】
前記幅広分割リングは、前記幅狭分割リングよりも少なくとも１．５倍以上幅が広い分割リングを含むことを特徴とする請求項９に記載の伝動ベルトの組み付け方法。
【発明の詳細な説明】
【技術分野】
【０００１】
この発明は、板片状の多数のエレメントを互いに対面させて環状に配置し、それらのエレメントを無端環状のリングに組み付けることにより環状に結束して構成した伝動ベルトおよびその組み付け方法に関するものである。
【背景技術】
【０００２】
一般に、複数の回転部材同士の間で動力の伝達を行う場合に用いる変速機として、変速比を段階的に変化させることができる有段変速機と、変速比を連続してすなわち無段階に変化させることができる無段変速機とがあり、後者の無段変速機としてはベルト式無段変速機およびトロイダル式無段変速機などが知られている。このうち、ベルト式無段変速機は、駆動側プーリおよび従動側プーリの２組のプーリと、それらのプーリに巻き掛けられる伝動ベルトとを使用して変速比を無段階に変化させる変速機である。そのようなベルト式無段変速機に用いられる伝動ベルトとして、例えば、エレメントあるいはブロックなどと称される多数の板片をその板厚方向に互いに重ね合わせて環状に配列するとともに、それらの板片をリングあるいはバンドあるいはキャリアなどと称される環状の帯状体で環状に結束することにより、無端環状に形成されたベルトが知られている。
【０００３】
このような伝動ベルトが、駆動側および従動側の２組のプーリに巻き掛けられた状態で駆動側プーリが駆動されると、エレメントには、エレメントと駆動側プーリとの接触部分の摩擦力、および、駆動側プーリのトルクに応じて駆動側プーリからエレメントに対して加えられるエレメントの積層方向、すなわちエレメントの厚さ方向の圧縮力が作用する。そして、駆動側プーリに接触しているエレメントに伝達された圧縮力は、プーリに巻き掛けられていないエレメントを経由して、従動側プーリに接触しているエレメントに伝達される。この従動側プーリに接触しているエレメントに圧縮力が伝達されると、そのエレメントと従動側プーリとの接触部分の摩擦力、および伝達された圧縮力に応じて従動側プーリを回転させようとするトルクが発生する。このようにして、駆動側プーリと従動側プーリとの間で、伝動ベルトを介して動力伝達が行われる。
【０００４】
上記のような伝動ベルトの一例が特許文献１に記載されている。この特許文献１に記載されている高負荷伝動ベルトは、センターベルトと耐側圧を補強するブロックとからなる伝動ベルトであって、具体的には、上端に係止部を有している２本のベルト側部およびそれらを下端で連結する連結部材により形成されたブロック（エレメント）と、そのエレメントの両係止部の間に開口している嵌合溝（エレメントの開口凹部）に両係止部によってエレメントから外れないように嵌め込まれている２本の無端キャリア（リング）とによって構成されている。そして、エレメントの２本のベルト側部の前後面には、それぞれ凸部と凹部とが設けられていて、前後のエレメント同士の間でそれら凸部と凹部とが嵌り合うことにより、エレメントがベルト走行中でも整列するようになっている。
【０００５】
【特許文献１】特開２０００−２４９１９５号公報
【発明の開示】
【発明が解決しようとする課題】
【０００６】
上記の特許文献１に記載されている伝動ベルトは、エレメントの両端のベルト側部にリングとエレメントとを係止する係止部が形成されていて、両ベルト側部上方の平面部分に、隣接するエレメント同士で互いに嵌合する嵌合用の凹凸部が形成されている。すなわちこの嵌合用の凹凸部は、エレメントの両側に左右対称に２箇所設けられている。そして、両ベルト側部の間に形成された開口凹部に２列のリングを嵌め込み、係止部で係止されるように組み付けることにより、伝動ベルトが構成されている。
【０００７】
このような伝動ベルトにおいては、リングにエレメントを組み付ける場合、あるいはリングに組み付けられたエレメントをリングから外す場合に、２列に並列されていたリングの一部を互いに重ね合わせた状態を実現させる必要がある。すなわち２列のリングに対してエレメントを組み付けたり、外したりする場合には、２列のリングにねじりを加えて互いに重ね合わせることにより、２列のリングの幅をエレメントの両係止部間の開口幅よりも狭い状態にする必要がある。
【０００８】
２列のリングにねじりを加えて互いに重ね合わせた状態にするためには、隣接しているエレメント同士を、それぞれの対向面内で相対回転、すなわちローリングさせる必要がある。しかしながら、特許文献１に記載されている伝動ベルトは、隣接するエレメント同士で互いに嵌合する凹凸部が、エレメントの左右両側に２箇所設けられているため、エレメント同士のローリング方向の動作が規制されてしまう。その結果、２列のリングを互いに重なり合わせた状態にすることが困難になり、伝動ベルトを組み付けることができなくなる可能性がある。
【０００９】
さらに、２列のリングを重ね合わせた状態にしてエレメントの開口凹部に嵌め込むとすると、２列のリングの互いに重ね合わせられた部分のエッジ部同士で干渉が生じてしまう場合がある。すなわち、例えば図１２に示すように、エレメントｅの開口凹部に２列のリングｒ1，ｒ2を嵌め込む場合、重ね合わせた状態における内周側のリングｒ1の外周面と外周側のリングｒ2に対向する側面とが接続するエッジ部と、外周側のリングｒ2の内周面と内周側のリングｒ1に対向する側面とが接続するエッジ部とが互いに干渉してしまう場合がある。その結果、２列のリングとエレメントとの組み付けが困難になり、伝動ベルトの組み付け性が低下してしまう。
【００１０】
このように、開口凹部が形成されたエレメントと２列のリングとを組み付けて構成される従来の伝動ベルトにおいて、その組み付けを容易にして組み付け性を向上させるためには、未だ改良の余地があった。
【００１１】
この発明は上記の技術的課題に着目してなされたものであり、エレメントと２列に分割されたリングとを容易にかつ確実に組み付けることができる伝動ベルトおよび伝動ベルトの組み付け方法を提供することを目的とするものである。
【課題を解決するための手段】
【００１２】
上記の目的を達成するために、請求項１の発明は、無端環状の２列のリングを並列して収容する凹部が形成されるとともに、その凹部における左右の内側面の開口端側に前記２列のリングを係合させてその離脱を防止する抜け止め部が形成された多数のエレメントを、前記開口端側が外周側となるように環状に配列し、その環状に配列されたエレメントの列における前記両抜け止め部の内周側に前記２列のリングを嵌め込んで組み付けた伝動ベルトにおいて、前記２列のリングは、互いに周長が同じでかつ形状が異なる２種類の分割リングにより構成されていることを特徴とする伝動ベルトである。
【００１３】
また、請求項２の発明は、請求項１の発明において、前記２列のリングが、厚さ方向における外周側が内周側よりも幅が狭い第１分割リングと、該第１分割リングと共に並列して前記凹部に収容されるとともに前記外周側が内周側よりも幅が広い第２分割リングとを含むことを特徴とする伝動ベルトである。
【００１４】
また、請求項３の発明は、請求項１の発明において、前記２列のリングが、相対的に幅が狭い第１外層リングと該第１外層リングの内周側に配置されるとともに該第１外層リングよりも幅が広い第１内層リングとから形成された第１分割リングと、該第１分割リングと共に並列して前記凹部に収容されるとともに、相対的に幅が広い第２外層リングと該第２外層リングの内周側に配置されるとともに該第２外層リングよりも幅が狭い第２内層リングとから形成された第２分割リングとを含むことを特徴とする伝動ベルトである。
【００１５】
また、請求項４の発明は、請求項１の発明において、前記２列のリングが、相対的に幅が狭い幅狭分割リングと、該幅狭分割リングと共に並列して前記凹部に収容されるとともに該幅狭分割リングよりも幅が広い幅広分割リングとを含むことを特徴とする伝動ベルトである。
【００１６】
そして、請求項５の発明は、請求項４の発明において、前記幅広分割リングが、前記幅狭分割リングよりも少なくとも１．５倍以上幅が広い分割リングを含むことを特徴とする伝動ベルトである。
【００１７】
一方、請求項６の発明は、無端環状の２列のリングを並列して収容する凹部が形成されるとともに、その凹部における左右の内側面の開口端側に前記２列のリングを係合させてその離脱を防止する抜け止め部が形成された多数のエレメントを、前記開口端側が外周側となるように環状に配列し、その環状に配列されたエレメントの列における前記両抜け止め部の内周側に前記２列のリングを嵌め込んで組み付ける伝動ベルトの組み付け方法において、前記２列のリングは、互いに周長が同じでかつ形状が異なる２種類の分割リングにより構成されていて、いずれか一方の前記抜け止め部の内周側にいずれか一方の前記分割リングを嵌め込み、その後、他方の前記抜け止め部の内周側に他方の前記分割リングを嵌め込んで組み付けることを特徴とする伝動ベルトの組み付け方法である。
【００１８】
また、請求項７の発明は、請求項６の発明において、前記２列のリングが、厚さ方向における外周側が内周側よりも幅が狭い第１分割リングと、該第１分割リングと共に並列して前記凹部に収容されるとともに前記外周側が内周側よりも幅が広い第２分割リングとを含み、いずれか一方の前記抜け止め部の内周側に前記第１分割リングを嵌め込み、その後、他方の前記抜け止め部の内周側に前記第２分割リングを嵌め込んで組み付けることを特徴とする伝動ベルトの組み付け方法である。
【００１９】
また、請求項８の発明は、請求項６の発明において、前記２列のリングが、相対的に幅が狭い第１外層リングと該第１外層リングの内周側に配置されるとともに該第１外層リングよりも幅が広い第１内層リングとから形成された第１分割リングと、該第１分割リングと共に並列して前記凹部に収容されるとともに、相対的に幅が広い第２外層リングと該第２外層リングの内周側に配置されるとともに該第２外層リングよりも幅が狭い第２内層リングとから形成された第２分割リングとを含み、いずれか一方の前記抜け止め部の内周側に前記第１分割リングを嵌め込み、その後、他方の前記抜け止め部の内周側に前記第２分割リングを嵌め込んで組み付けることを特徴とする伝動ベルトの組み付け方法である。
【００２０】
また、請求項９の発明は、請求項６の発明において、前記２列のリングが、相対的に幅が狭い幅狭分割リングと、該幅狭分割リングと共に並列して前記凹部に収容されるとともに該幅狭分割リングよりも幅が広い幅広分割リングとを含み、いずれか一方の前記抜け止め部の内周側に前記幅狭分割リングを嵌め込み、その後、他方の前記抜け止め部の内周側に前記幅広分割リングを嵌め込んで組み付けることを特徴とする伝動ベルトの組み付け方法である。
【００２１】
そして、請求項１０の発明は、請求項９の発明において、前記幅広分割リングが、前記幅狭分割リングよりも少なくとも１．５倍以上幅が広い分割リングを含むことを特徴とする伝動ベルトの組み付け方法である。
【発明の効果】
【００２２】
したがって、請求項１の発明によれば、２列のリングが互いに周長が等しくかつ形状が異なっている２本の分割リングから構成される。そのため、それら形状が異なる２本の分割リングをエレメントの凹部に嵌め込んで組み付ける際に、その組み付けが容易になるように、２本の分割リングを順序立ててエレメントの凹部の抜け止め部の内周側に嵌め込むことができる。その結果、２列のリングとエレメントとを容易にかつ確実に組み付けることができ、伝動ベルトの組み付け性を向上させることができる。
【００２３】
また、請求項２の発明によれば、２列のリングが、外周側ほど幅が狭くなるように形成されている第１分割リングと、それとは反対に、内周側ほど幅が狭くなるように形成されている第２分割リングとの２本の分割リングから構成される。そのため、それら２本の分割リングをエレメントの凹部に嵌め込んで組み付ける際に、先に第１分割リングをエレメントの凹部の抜け止め部の内周側に嵌め込み、後から第２分割リングをエレメントの凹部の抜け止め部の内周側に嵌め込むことにより、２列のリングを互いに重ね合わせた状態にした際の内周側のリングの外周面と外周側のリングに対向する側面とが接続するエッジ部と、外周側のリングの内周面と内周側のリングに対向する側面とが接続するエッジ部分との干渉を回避もしくは抑制することができる。その結果、２列のリングとエレメントとを容易にかつ確実に組み付けることができる。
【００２４】
また、請求項３の発明によれば、２列のリングが、内周側に位置して相対的に幅が広い第１内層リングと外周側に位置して第１内層リングよりも幅が狭い第１外層リングとの２段構造となっている第１分割リングと、それとは反対に、内周側に位置して相対的に幅が狭い第２内層リングと外周側に位置して第２内層リングよりも幅が広い第２外層リングとの２段構造となっている第２分割リングとの２本の分割リングから構成される。そのため、それら２本の分割リングをエレメントの凹部に嵌め込んで組み付ける際に、先に第１分割リングをエレメントの凹部の抜け止め部の内周側に嵌め込み、後から第２分割リングをエレメントの凹部の抜け止め部の内周側に嵌め込むことにより、２列のリングを互いに重ね合わせた状態にした際の内周側のリングの外周面と外周側のリングに対向する側面とが接続するエッジ部と、外周側のリングの内周面と内周側のリングに対向する側面とが接続するエッジ部分との干渉を回避もしくは抑制することができる。その結果、２列のリングとエレメントとを容易にかつ確実に組み付けることができる。
【００２５】
また、請求項４の発明によれば、２列のリングが、共に周長が等しくかつ断面が矩形であって、相対的に幅が狭い幅狭分割リングと、その幅狭分割リングよりも幅が広い幅広分割リングとの２本の分割リングから構成される。したがって、それら２本の分割リングをエレメントの凹部に嵌め込んで組み付ける際に、先に幅狭分割リングをエレメントの凹部の抜け止め部の内周側に嵌め込み、後から幅広分割リングをエレメントの凹部の抜け止め部の内周側に嵌め込むことにより、凹部の抜け止め部の内周側の空間により深く幅広分割リングを挿入することができる。その結果、後から嵌め込む幅広分割リングをよりエレメントに近づけた状態で、言い換えると、幅広分割リングの幅方向とエレメントの幅方向とのなす角度がより小さくなる状態で、幅広分割リングを凹部の抜け止め部の内周側に嵌め込むことができる。そのため、２列のリングを互いに重ね合わせた状態にしなくとも、もしくは僅かに重ね合わせるだけで、凹部の抜け止め部の内周側に２列のリングを嵌め込むことができ、２列のリングの対向するエッジ部分同士の干渉を回避もしくは抑制することができる。したがって、２列のリングとエレメントとを容易にかつ確実に組み付けることができる。
【００２６】
そして、請求項５の発明によれば、幅広分割リングの幅が幅狭分割リングの幅の少なくとも１．５倍以上になるように、２本の分割リングがそれぞれ形成される。そのため、それら２本の分割リングをエレメントの凹部に組み付ける際に、それら２本の分割リングの幅に差を設けたことによる組み付け性の向上効果を確実に得ることができる。
【００２７】
一方、請求項６の発明によれば、互いに周長が等しくかつ形状が異なっている２本の分割リングから構成される２列のリングが使用されて、エレメントと組み付けられる。そして、それら２列のリングすなわち形状が異なる２本の分割リングをエレメントの凹部に嵌め込んで組み付ける場合に、その組み付けが容易になるように、２本の分割リングが順序立ててエレメントの凹部の抜け止め部の内周側に嵌め込まれる。そのため、２列のリングとエレメントとを容易にかつ確実に組み付けることができ、伝動ベルトの組み付け性を向上させることができる。
【００２８】
また、請求項７の発明によれば、２列のリングとして、外周側ほど幅が狭くなるように形成されている第１分割リングと、それとは反対に、内周側ほど幅が狭くなるように形成されている第２分割リングとの２本の分割リングが使用される。そして、それら２本の分割リングをエレメントの凹部に嵌め込んで組み付ける場合に、先ず、第１分割リングがエレメントの凹部の抜け止め部の内周側に嵌め込まれ、その後、第２分割リングがエレメントの凹部の抜け止め部の内周側に嵌め込まれる。そのため、２列のリングを互いに重ね合わせた状態にした際の内周側のリングの外周面と外周側のリングに対向する側面とが接続するエッジ部と、外周側のリングの内周面と内周側のリングに対向する側面とが接続するエッジ部分との干渉を回避もしくは抑制することができる。その結果、２列のリングとエレメントとを容易にかつ確実に組み付けることができる。
【００２９】
また、請求項８の発明によれば、２列のリングとして、内周側に位置して相対的に幅が広い第１内層リングと外周側に位置して第１内層リングよりも幅が狭い第１外層リングとの２段構造となっている第１分割リングと、それとは反対に、内周側に位置して相対的に幅が狭い第２内層リングと外周側に位置して第２内層リングよりも幅が広い第２外層リングとの２段構造となっている第２分割リングとの２本の分割リングが使用される。そして、それら２本の分割リングをエレメントの凹部に嵌め込んで組み付ける場合に、先ず、第１分割リングがエレメントの凹部の抜け止め部の内周側に嵌め込まれ、その後、第２分割リングがエレメントの凹部の抜け止め部の内周側に嵌め込まれる。そのため、２列のリングを互いに重ね合わせた状態にした際の内周側のリングの外周面と外周側のリングに対向する側面とが接続するエッジ部と、外周側のリングの内周面と内周側のリングに対向する側面とが接続するエッジ部分との干渉を回避もしくは抑制することができる。その結果、２列のリングとエレメントとを容易にかつ確実に組み付けることができる。
【００３０】
また、請求項９の発明によれば、２列のリングとして、共に周長が等しくかつ断面が矩形であって、相対的に幅が狭い幅狭分割リングと、その幅狭分割リングよりも幅が広い幅広分割リングとの２本の分割リングが使用される。そして、それら２本の分割リングをエレメントの凹部に嵌め込んで組み付ける場合に、先ず、幅狭分割リングがエレメントの凹部の抜け止め部の内周側に嵌め込まれ、その後、幅広分割リングがエレメントの凹部に嵌め込まれる。その結果、凹部の抜け止め部の内周側の空間により深く幅広分割リングを挿入することができ、後から嵌め込む幅広分割リングをよりエレメントに近づけた状態で、言い換えると、幅広分割リングの幅方向とエレメントの幅方向とのなす角度がより小さくなる状態で、幅広分割リングを凹部の抜け止め部の内周側に嵌め込むことができる。そのため、２列のリングを互いに重ね合わせた状態にしなくとも、もしくは僅かに重ね合わせるだけで、凹部の抜け止め部の内周側に２列のリングを嵌め込むことができ、２列のリングの対向するエッジ部分同士の干渉を回避もしくは抑制することができる。したがって、２列のリングとエレメントとを容易にかつ確実に組み付けることができる。
【００３１】
そして、請求項１０の発明によれば、幅広分割リングの幅が幅狭分割リングの幅の少なくとも１．５倍以上になるように、それぞれ形成された２本の分割リングが用いられる。そのため、それら２本の分割リングをエレメントの凹部に組み付ける場合に、それら２本の分割リングの幅に差を設けたことによる組み付け性の向上効果を確実に得ることができる。
【発明を実施するための最良の形態】
【００３２】
つぎに、この発明を図面を参照して具体的に説明する。初めに、この発明の実施例として、この発明に係る伝動ベルトの構成例を説明し、ついで、この発明に係る伝動ベルトの組み付け方法による組み付け例を、以下に順次説明する。
【００３３】
（第１実施例）
初めに、この発明の第１実施例における伝動ベルトを構成するエレメントおよびリングの構成を、図１，図２に基づいて説明する。図１，図２において、伝動ベルトＶは、ベルト式無段変速機の駆動側（入力軸）プーリと従動側（出力軸）プーリとに巻き掛けられて、それらのプーリの間で動力を伝達するベルトの例を示している。そして、この発明における多数のエレメントＥは、例えば金属製の板片状の部材からなり、その幅方向（図１のｘ軸方向）における左右の側面１，２が、テーパ状の傾斜した面として形成された本体（基体）部３を有し、そのテーパ状に傾斜した両側面１，２が、ベルト式無段変速機の駆動側プーリあるいは従動側プーリであるプーリ４のベルト巻き掛け溝（Ｖ形溝）４ａに摩擦接触してトルクを伝達するようになっている。
【００３４】
本体部３の幅方向（図１のｘ軸方向）における左右の両端部分に、本体部３の一部であって、エレメントＥの上下方向（図１，図２のｙ軸方向）での上方に延びた左右の柱部５，６がそれぞれ形成されている。したがって、本体部３の図１，図２での上側のエッジ部分である上端面３ａと、両柱部５，６の本体部３の幅方向における中央を向いた左右の内側面５ａ，６ａとによって、エレメントＥの上側（図１のｙ軸方向での上側）すなわち伝動ベルトＶの外周側に開口した凹部７が形成されている。
【００３５】
凹部７は、互いに密着して環状に配列されたエレメントＥを環状に結束するための無端環状のリングＲを、挿入して収容するための部分であり、したがって上端面３ａが、リングＲの内周面を接触させて載せるサドル面３ａとなっている。なお、この発明におけるリングＲは、周長が等しくかつ形状が異なる２種類の分割リングにより構成されている。それら各分割リングの詳細な構成に関しては後述する。
【００３６】
左右の柱部５，６の上端部分には、左右の先端面８ａ，９ａがそれぞれ本体部３の幅方向における中央に向かって延びた左右の抜け止め部８，９が、それぞれ両柱部５，６と一体に形成されている。言い換えると、凹部７の開口端（凹部７における伝動ベルトの外周側の端部）側の両内側面５ａ，６ａに、凹部７の幅方向（図１のｘ軸方向）における中心側に向けた抜け止め部８，９がそれぞれ形成されている。そのため、凹部７の開口幅が、凹部７の開口端側では、対向する両先端面８ａ，９ａの間の距離Ｗ１によって規定されている。そして、凹部７の底部７ａ（すなわちサドル面（上端面）３ａ）側では、両先端面８ａ，９ａ間の距離（開口幅）Ｗ１よりも広い開口幅Ｗ２となっている。
【００３７】
この伝動ベルトＶを構成する多数のエレメントＥは、環状に配列された状態でリングＲによって結束され、その状態で駆動側および従動側のそれぞれのプーリ４に巻き掛けられる。したがってプーリ４に巻き掛けられた状態では、各エレメントＥが、プーリ４の中心に対して扇状に拡がり、かつ互いに密着する必要があるため、各エレメントＥの図１，図２での下側の部分（環状に配列した状態での中心側の部分）が薄肉に形成されている。
【００３８】
すなわち、本体部３の一方の面（例えば図２における左側の面）におけるサドル面３ａより所定寸法下がった（オフセットされた）部分から下側の部分が削り落とされた状態で次第に薄肉化されている。したがって、各エレメントＥが扇形に拡がって接触する状態、言い換えると、各エレメントＥがプーリ４に巻き掛かり円弧状に湾曲して配列されてベルトが湾曲するベルト湾曲状態で、その板厚の変化する境界部分で接触する。この境界部分のエッジが、いわゆるロッキングエッジ１０となっている。
【００３９】
エレメントＥの本体部３の幅方向における中央部分には、各エレメントＥがプーリ４に巻き掛からず直線状に配列されるベルト直線状態において各エレメントＥの相対的な位置を決めるためのディンプル１１とホール１２とが形成されている。具体的には、本体部３の一方の面側（図２の例では、ロッキングエッジ１０のある面側）に凸となる円錐台形のディンプル１１が形成されている。そして、このディンプル１１とは反対側の面に、隣接するエレメントＥにおけるディンプル１１を緩く嵌合（遊嵌）させる有底円筒状のホール１２が形成されている。
【００４０】
したがって、ベルト直線状態でこれらのディンプル１１とホール１２とが嵌合することによって、その状態におけるエレメントＥ同士の図１での左右方向および上下方向の相対位置を決めることができ、例えばベルト式無段変速機が運転される場合に、伝動ベルトＶのがたつきを防止して伝動ベルトＶを安定して走行させることができる。
【００４１】
上記に示すこの発明の伝動ベルトＶのような、２列に分割されたリングＲを並列させて収容する凹部７が設けられたエレメントＥと２列のリングＲとを組み付けて構成されるベルトにおいては、例えば前述の図１２に示した従来構成のベルトのように、２列のリングｒ1，ｒ2を互いに重ね合わせた状態にしてエレメントｅの開口凹部に嵌め込む場合、それら２列のリングｒ1，ｒ2の互いに重ね合わせられた部分のエッジ部同士で干渉が生じ、ベルトの組み付け性が低下してしまう場合があった。
【００４２】
また、図１３に示すように、上記のようにして２列のリングｒ1，ｒ2とエレメントｅとを組み付ける際に、エッジ部同士の干渉が生じる（図１３の（ａ）に示す状態）場合の各リングｒ1，ｒ2の幅寸法ｌ１に対して、それら各リングｒ1，ｒ2の幅を短縮して幅寸法ｌ１よりも短い幅寸法ｌ２にすることにより、後からエレメントｅの開口凹部にリングｒ2を嵌め込む際に、上記のようなエッジ部同士の干渉を回避することができる（図１３の（ｂ）に示す状態）。しかしながら、その場合は、各リングｒ1，ｒ2の幅を短縮することによりリングｒ1，ｒ2の断面積が減少し、その結果リングｒ1，ｒ2の強度が低下することになる。したがって、各リングｒ1，ｒ2の幅を短縮することには限界があり、上記のような構成の従来のベルトにおいては、ベルトの強度あるいは動力伝達容量を低下させずに組み付け性を向上させることが困難であった。
【００４３】
そこで、この発明による多数のエレメントＥと２列に分割されているリングＲとから構成される伝動ベルトＶは、伝動ベルトＶの強度や動力伝達容量を低下させることなくその組み付け性を向上させるために、リングＲが互いに周長が等しくかつ形状が異なる２種類の分割リング１３，１４によって構成されている。すなわち、リングＲは、例えば金属製の環状の帯状体を径方向に複数枚積層させて形成したいわゆる積層リングであって、凹部７の内部で２列に並列させられる２種類の第１分割リング１３と第２分割リング１４とによって構成されている。
【００４４】
各分割リング１３，１４は、互いに材質、強度、および周長（具体的には最内周面の周長）が等しい金属製の積層リングにより形成されている。また、リングＲの幅寸法（図１のｘ軸方向の寸法）Ｌ１、すなわち各分割リング１３，１４が並列した状態での合計の幅寸法Ｌ１が、エレメントＥの凹部７の開口幅Ｗ１よりも長く、開口幅Ｗ２よりも短い範囲内の値となるように各部の形状・寸法が設定されて形成されている。
【００４５】
具体的には、図３に示すように、各分割リング１３，１４は、リングＲの周長方向に直角な平面による断面の形状がそれぞれ異なっている。すなわち、第１分割リング１３は、最外周面１３ａにおける幅寸法Ｌ２が、リングＲの幅寸法Ｌ１の半分（すなわち、Ｌ１／２）よりも短くなっていて、最内周面１３ｂにおける幅寸法Ｌ３が、リングＲの幅寸法Ｌ１の半分（Ｌ１／２）よりも長く、すなわち幅寸法Ｌ２よりも長くなっている。したがって、第１分割リング１３は、厚さ方向（図３のｙ方向）における内周側（図３の下側）よりも外周側（図３の上側）の方が幅が狭くなっている。
【００４６】
そして、それら最外周面１３ａの幅寸法Ｌ２および最内周面１３ｂの幅寸法Ｌ３はいずれも第１分割リング１３の側面１３ｃ（図３の左側の端面）を起点としている。言い換えると、最外周面１３ａおよび最内周面１３ｂがいずれも側面１３ｃに対して直角に接続するように形成されている。したがって、第１分割リング１３が第２分割リング１４と並列する際に第２分割リング１４と対向する対向面１３ｄは、最外周面１３ａから最内周面１３ｂへ向かうにつれて幅が広くなる勾配面となっている。
【００４７】
一方、第２分割リング１４は、最外周面１４ａにおける幅寸法Ｌ４が、リングＲの幅寸法Ｌ１の半分（Ｌ１／２）よりも長くなっていて、最内周面１４ｂにおける幅寸法Ｌ５が、リングＲの幅寸法Ｌ１の半分（Ｌ１／２）よりも短く、すなわち幅寸法Ｌ４よりも短くなっている。したがって、第２分割リング１４は、厚さ方向（図３のｙ方向）における内周側（図３の下側）よりも外周側（図３の上側）の方が幅が広くなっている。
【００４８】
そして、それら最外周面１４ａの幅寸法Ｌ４および最内周面１４ｂの幅寸法Ｌ５はいずれも第２分割リング１４の側面１４ｃ（図３の右側の端面）を起点としている。言い換えると、最外周面１４ａおよび最内周面１４ｂがいずれも側面１４ｃに対して直角に接続するように形成されている。したがって、第２分割リング１４が第１分割リング１３と並列する際に第１分割リング１３と対向する対向面１４ｄは、最外周面１４ａから最内周面１４ｂへ向かうにつれて幅が短くなる勾配面となっている。
【００４９】
各分割リング１３，１４は、その厚さ、すなわち最外周面１３ａ，１４ａと最内周面１３ｂ，１４ｂとの間の距離が、いずれも厚さＴ１で等しくなるように形成されている。また、第１分割リング１３の最外周面１３ａにおける幅寸法Ｌ２と第２分割リング１４の最内周面１４ｂにおける幅寸法Ｌ５とが等しくなるように形成され、同様に第１分割リング１３の最内周面１３ｂにおける幅寸法Ｌ３と第２分割リング１４の最外周面１４ａにおける幅寸法Ｌ４とが等しくなるように形成されている。
【００５０】
そして、第１分割リング１３の最外周面１３ａにおける幅寸法Ｌ２と第２分割リング１４の最外周面１４ａにおける幅寸法Ｌ４との和、および第１分割リング１３の最内周面１３ｂにおける幅寸法Ｌ３と第２分割リング１４の最内周面１４ｂにおける幅寸法Ｌ５との和が、いずれもリングＲの幅寸法Ｌ１となるように形成されている。
【００５１】
したがって、各分割リング１３，１４の各対向面１３ｄ，１４ｄの勾配は、リングＲの最内周面（すなわち各最内周面１３ｂ，１４ｂ）に対してその方向が逆向きで大きさが等しくなっている。そのため、それら各対向面１３ｄ，１４ｄを当接させて第１分割リング１３と第２分割リング１４とを並列させることにより、幅寸法がＬ１で厚さがＴ１である矩形断面のリングＲが構成される。
【００５２】
このように各分割リング１３，１４の各対向面１３ｄ，１４ｄに、それぞれ角度の大きさが同じで互いに逆方向の勾配を持たせて、各分割リング１３，１４の形状をそれぞれ異ならせることにより、前述の図１２に示したような従来の構成による互いに断面が矩形で形状・寸法が等しい２本の分割リングｒ1，ｒ2を互いに重ね合わせる場合と比較して、リングＲすなわち２列の分割リング１３，１４とエレメントＥとを容易に組み付けることができる。
【００５３】
すなわち、上記のようにして第１分割リング１３の最外周面１３ａ側の幅を短くし、かつ第２分割リング１４の最内周面１４ｂ側の幅を短くすることにより、図４に示すように、各分割リング１３，１４を容易に互いに重ね合わせた状態にすることができる（図４の（ａ））。具体的には、第１分割リング１３の外周側に第２分割リング１４を重ね合わせる場合、第２分割リング１４を、第１分割リング１３の厚さＴ１全体に重ねなくとも、第１分割リング１３の対向面１３ｄ上に第２分割リング１４を重ねることにより、それら各分割リング１３，１４を互いに重ね合わせた状態にして、リングＲの幅をエレメントＥの開口幅Ｗ１よりも狭くした状態を実現することができる。
【００５４】
そして、その互いに重ね合わせられた状態から外周側に重ねられた第２分割リング１４を凹部７の抜け止め部９の内周側の部分に嵌め込む際に、各対向面１３ｄ，１４ｄと最外周面１３ａ，最内周面１４ｂとから形成されるエッジ部同士の干渉を回避もしくは抑制することができる（図４の（ｂ））。
【００５５】
また、上記のように各分割リング１３，１４が形成されることにより、エレメントＥの凹部７への２列の分割リング１３，１４の挿入が容易になる分、各分割リング１３，１４の幅を増大することができる。すなわち、各分割リング１３，１４が互いに重ね合わせられた状態にされてエレメントＥの凹部７に嵌め込まれる際に、各分割リング１３，１４のエッジ部同士の干渉が回避されて、凹部７の抜け止め部９の内周側の部分へ第２分割リング１４を嵌め込む際の余裕が増える分だけ、各分割リング１３，１４の幅を増大できる。そのため、例えば前述の図１２に示したような従来の構成によるリングｒ1，ｒ2と比較して、リングＲの幅を延長すること、すなわちリングＲの断面積を増大することができる。その結果、リングＲの強度あるいは耐久性を向上させることができ、ひいては伝動ベルトＶの耐久性や動力伝達容量を向上させることができる。
【００５６】
なお、前述したように、各分割リング１３，１４は、いずれもいわゆる積層リングであって、無端環状の帯状体（単リング）が径方向に複数枚積層させられて形成されている。したがって、図５に示すように、例えば第１分割リング１３が、その最外周側から順に、リング幅が幅寸法Ｌａ（すなわち幅寸法Ｌ２，Ｌ５）の単リング１５ａ、リング幅が幅寸法Ｌｂの単リング１５ｂ、リング幅が幅寸法Ｌｃの単リング１５ｃ、リング幅が幅寸法Ｌｄの単リング１５ｄ、リング幅が幅寸法Ｌｅの単リング１５ｅ、リング幅が幅寸法Ｌｆ（すなわち幅寸法Ｌ３，Ｌ４）の単リング１５ｆの６層の単リングをそれぞれ径方向に積層させて形成する場合、第２分割リング１４は、その最外周側から順に、リング幅が幅寸法Ｌｆ（すなわち幅寸法Ｌ３，Ｌ４）の単リング１６ａ、リング幅が幅寸法Ｌｅの単リング１６ｂ、リング幅が幅寸法Ｌｄの単リング１６ｃ、リング幅が幅寸法Ｌｃの単リング１６ｄ、リング幅が幅寸法Ｌｂの単リング１６ｅ、リング幅が幅寸法Ｌａ（すなわち幅寸法Ｌ２，Ｌ５）の単リング１６ｆの６層の単リングをそれぞれ径方向に積層させて形成すればよい。そうすることにより、各分割リング１３，１４を形成するために使用される単リングの種類を可及的に少なくすることができ、各分割リング１３，１４を効率良く生産することができる。
【００５７】
（組み付け例）
つぎに、この第１実施例における伝動ベルトＶの組み付け例を、図面に基づいて説明する。この発明による伝動ベルトＶを組み付ける場合、先ず、図６に示すように、並列された各分割リング１３，１４の周長方向における所定の部分を、互いに重ね合わせてリングＲの重ね合わせ状態を設定する。重ね合わせ状態を設定することにより、リングＲでは、重ね合わせ状態（図６のＡ部で示す状態）と並列状態（図６のＢ部で示す状態）とが同時に設定される。リングＲの重ね合わせ状態の部分では、リングＲの幅がエレメントＥの開口幅Ｗ１よりも狭くなるため、この重ね合わせ状態の部分から、１枚もしくは予め配列された所定枚数のエレメントＥの凹部７に、リングＲが嵌め込まれる。
【００５８】
続いて、凹部７にリングＲの重ね合わせ状態の部分が嵌め込まれた１枚もしくは複数枚のエレメントＥが、リングＲの周長方向に、リングＲの並列状態の部分まで移動させられる。リングＲの並列状態の部分では、リングＲの幅Ｌ１が、エレメントＥの開口幅Ｗ２よりも狭く、かつエレメントＥの開口幅Ｗ１よりも広くなるため、凹部７にリングＲが嵌め込まれたエレメントＥがリングＲの並列状態の部分まで移動させられると、その並列状態の部分では、リングＲが凹部７の両抜け止め部８，９により係止されて凹部７に係合される。すなわち、エレメントＥとリングＲとが組み付けられる。
【００５９】
そして、上記のような、所定枚数のエレメントＥの凹部７に、リングＲの重ね合わせ状態の部分を嵌め込み、その所定枚数のエレメントＥをリングＲの並列状態の部分まで移動させる作業が順次繰り返される。
【００６０】
上記のようなエレメントＥとリングＲとの組み付け作業において、それらエレメントＥとリングＲとの組み付け初期段階では、各分割リング１３，１４をそれぞれ自由に動作させることができ、比較的容易にリングＲの重ね合わせ状態を設定することができる。これに対して、リングＲと比較的多数のエレメントＥとが組み付けられた段階、すなわち組み付け最終段階では、ディンプル１１とホール１２とが嵌合されて連結された各エレメントＥの列により各分割リング１３，１４の動作が規制され、言い換えると、エレメントＥをローリングさせることが次第に困難になり、その結果、リングＲの重ね合わせ状態を設定することが次第に困難になってくる。
【００６１】
例えば、前述の図１２に示した従来の構成のように、２列の分割リングが互いに断面が矩形で形状・寸法が等しい２本の分割リングｒ1，ｒ2である場合は、上記のような組み付け最終段階では、各分割リングを互いに重ね合わせ状態に設定することが難しくなるとともに、各分割リングｒ1，ｒ2の互いに重ね合わせられた部分のエッジ部同士で干渉が生じ、ベルトの組み付け性が低下してしまう場合があった。
【００６２】
そこで、この発明による伝動ベルトＶの組み付け方法では、エレメントＥに組み付けるリングＲとして、図３に示すような、重ね合わせ状態を設定する際に重ね合わせられる部分のエッジ部同士の干渉が回避できるように形成された２種類の分割リング１３，１４、すなわち第１分割リング１３と第２分割リング１４とから構成されたリングＲを用いることにより、エレメントＥとリングＲとを容易に、かつ確実に組み付けることができるようになっている。
【００６３】
具体的には、図４に示すように、先ず、上述したリングＲを重ね合わせ状態にする場合には、第１分割リング１３の外周側に第２分割リング１４が重ね合わせられる。すなわち、第１分割リング１３の対向面１３ｄの最外周面１３ａ側の部分と、第２分割リング１４の対向面１４ｄの最内周面１４ｂ側の部分とが互いに当接するように、第１分割リング１３と第２分割リング１４とが重ね合わせられる。
【００６４】
この場合、各分割リング１３，１４が、前述したように、第１分割リング１３がその内周側よりも外周側の方が幅が狭くなるように形成され、反対に第２分割リング１４がその外周側よりも内周側の方が幅が狭くなるように形成されているため、前述の図１２に示した従来の構成の分割リングｒ1，ｒ2を重ね合わせ状態にする場合と比較して、それら各分割リング１３，１４を容易に重ね合わせ状態にすることができる。したがって、各分割リング１３，１４を互いに重ね合わせるためにエレメントＥをローリングさせる場合のローリング量（すなわちローリングさせる角度）も、前述の図１２に示した従来の構成と比較して少なくて済む。
【００６５】
そして、その重ね合わせ状態にされた各分割リング１３，１４のうち、初めに、重ね合わせ状態で内周側に位置している第１分割リング１３の対向面１３ｄと反対側の側面１３ｃ側の端部が、エレメントＥの凹部７における抜け止め部８の内周側の部分に嵌め込まれる（図４の（ａ））。そしてその後、重ね合わせ状態で外周側に位置している第２分割リング１４の対向面１４ｄと反対側の側面１４ｃ側の端部が、エレメントＥの凹部７における抜け止め部９の内周側の部分に嵌め込まれる（図４の（ｂ））。
【００６６】
この場合においても、第１分割リング１３がその内周側よりも外周側の方が幅が狭くなるように形成され、反対に第２分割リング１４がその外周側よりも内周側の方が幅が狭くなるように形成されていることから、第２分割リング１４をエレメントＥの凹部７における抜け止め部９側へ摺動させて、第２分割リング１４の側面１４ｃ側の端部を抜け止め部９の内周側の部分に嵌め込む際に、重ね合わせられた部分のエッジ部で干渉が生じて第２分割リング１４を抜け止め部９の内周側部分へ挿入する際の障害となったり、あるいはエッジ部が干渉する相手側に損傷を与えたりしてしまう事態を回避することができる。
【００６７】
このようにして、最後のエレメントＥとリングＲとが組み付けられること、すなわち所望する全てのエレメントＥとリングＲとが組み付けられることにより、伝動ベルトＶの組み付けが完了する。
【００６８】
以上のように、この発明の第１実施例による伝動ベルトＶおよびその組み付け方法によれば、互いに周長が等しくかつ形状が異なっている２本の分割リング１３，１４、具体的には、外周側ほど幅が狭くなるように形成されている第１分割リング１３と、それとは反対に内周側ほど幅が狭くなるように形成されている第２分割リング１４との２本の分割リング１３，１４が、エレメントＥに組み付けられるリングＲとして使用される。そして、それら形状が異なる２本の分割リング１３，１４をエレメントＥの凹部７に嵌め込んで組み付ける場合に、その組み付けが容易になるように、２本の分割リング１３，１４が順序立ててエレメントＥの凹部７における両抜け止め部８，９の内周側に嵌め込まれる。すなわち、先ず、第１分割リング１３がエレメントＥの凹部７における抜け止め部８の内周側に嵌め込まれ、その後、第２分割リング１４がエレメントＥの凹部７における抜け止め部９の内周側に嵌め込まれる。
【００６９】
そのため、２列の分割リング１３，１４を互いに重ね合わせた状態にした際に内周側に位置する第１分割リング１３の最外周面１３ａと対向面１３ｄとが接続するエッジ部と、互いに重ね合わせた状態にした際に外周側に位置する第２分割リング１４の最内周面１４ｂと対向面１４ｄとが接続するエッジ部分との干渉を回避もしくは抑制することができる。その結果、２列の分割リング１３，１４からなるリングＲとエレメントＥとを容易にかつ確実に組み付けることができ、伝動ベルトＶの組み付け性を向上させることができる。
【００７０】
（第２実施例）
つぎに、この発明の第２実施例における伝動ベルトを構成するエレメントおよびリングの構成を、図７，図８に基づいて説明する。上記の第１実施例が、エレメントＥに組み付けられる２列に分割されたリングＲが、一方の分割リングと対向する対向面が外周側ほどリング幅が狭くなる勾配面として形成された第１分割リング１３と、他方の分割リングと対向する対向面が外周側ほどリング幅が広くなる勾配面として形成された第２分割リング１４とによって構成された例を示しているのに対して、この第２実施例では、相対的に幅が狭い外周側のリングとその外周側のリングよりも幅が広い内周側のリングとから形成された第１分割リングと、相対的に幅が広い外周側のリングとその外周側のリングよりも幅が狭い内周側のリングとから形成された第２分割リングとによってリングＲが構成された例を示してある。したがって、これら２種類の分割リングに関連する部分以外の、前述の図１ないし図５に示す第１実施例と同じ構成の部分については、図７，図８に、図１ないし図５と同じ参照符号を付けて、その詳細な説明は省略する。
【００７１】
図７において、この第２実施例における伝動ベルトＶは、エレメントＥと、第１分割リング２１および第２分割リング２２からなるリングＲとにより構成されている。リングＲを構成する各分割リング２１，２２は、互いに材質、強度、および周長（具体的には最内周面の周長）が等しい金属製の積層リングにより形成されている。また、リングＲの幅寸法Ｌ１、すなわち各分割リング２１，２２が並列した状態での合計の幅寸法Ｌ１が、エレメントＥの凹部７の開口幅Ｗ１よりも長く、開口幅Ｗ２よりも短い範囲内の値となるように各部の形状・寸法が設定されて形成されている。
【００７２】
各分割リング２１，２２は、図８に示すように、リングＲの周長方向に直角な平面による断面の形状がそれぞれ異なっている。すなわち、第１分割リング２１は、相対的に幅が狭い第１外層リング２１ａと、その第１外層リング２１ａよりも幅が広い第１内層リング２１ｂとによる２段構造になっている。一方、第２分割リング２２は、相対的に幅が広い第２外層リング２２ａと、その第２外層リング２２ａよりも幅が狭い第２内層リング２２ｂとによる２段構造になっている。
【００７３】
具体的には、第１外層リング２１ａは、それ自体が積層リングであって、厚さがリングＲの厚さＴ１よりも薄い厚さＴ３で、幅がリングＲの幅寸法Ｌ１の半分（Ｌ１／２）よりも狭い幅寸法Ｌ６である矩形断面となるように形成されている。一方、第１内層リング２１ｂは、それ自体が積層リングであって、厚さがリングＲの厚さＴ１よりも薄い厚さＴ４で、幅がリングＲの幅寸法Ｌ１の半分（Ｌ１／２）よりも広い幅寸法Ｌ７である矩形断面となるように形成されている。
【００７４】
そして、それら第１外層リング２１ａおよび第１内層リング２１ｂの一方（図８の左側）の側面２１ｃ，２１ｄ同士が同一平面上に位置するように、第１内層リング２１ｂの外周側に第１外層リング２１ａが積層されて第１分割リング２１が形成されている。したがって、上記の各側面２１ｃ，２１ｄにより第１分割リング２１の一方（図８の左側）の側面２１ｅが形成されている。また第１分割リング２１の他方（図８の右側）の側面であって、各分割リング２１，２２が並列する際に第２分割リング２２と対向する対向面２１ｆが、内周側から外周側へ向かって上る２段の階段状に形成されている。
【００７５】
一方、第２外層リング２２ａは、それ自体が積層リングであって、厚さがリングＲの厚さＴ１よりも薄い厚さＴ３で、幅がリングＲの幅寸法Ｌ１の半分（Ｌ１／２）よりも広い幅寸法Ｌ８である矩形断面となるように形成されている。また、第２内層リング２２ｂは、それ自体が積層リングであって、厚さがリングＲの厚さＴ１よりも薄い厚さＴ４で、幅がリングＲの幅寸法Ｌ１の半分（Ｌ１／２）よりも狭い幅寸法Ｌ９である矩形断面となるように形成されている。
【００７６】
そして、それら第２外層リング２２ａおよび第２内層リング２２ｂの一方（図８の右側）の側面２２ｃ，２２ｄ同士が同一平面上に位置するように、第２内層リング２２ｂの外周側に第２外層リング２２ａが積層されて第２分割リング２２が形成されている。したがって、上記の各側面２２ｃ，２２ｄにより第２分割リング２２の一方（図８の右側）の側面２２ｅが形成されている。また第２分割リング２２の他方（図８の左側）の側面であって、各分割リング２１，２２が並列する際に第１分割リング２１と対向する対向面２２ｆが、内周側から外周側へ向かって降りる２段の階段状に形成されている。
【００７７】
各分割リング２１，２２は、その厚さがいずれも厚さＴ１（すなわち、Ｔ３＋Ｔ４）で等しくなっていて、また、第１外層リング２１ａの幅寸法Ｌ６と第２内層リング２２ｂの幅寸法Ｌ９とが等しくなるように形成され、同様に第１外層リング２１ｂの幅寸法Ｌ７と第２外層リング２２ａの幅寸法Ｌ８とが等しくなるように形成されている。そして、第１外層リング２１ａの幅寸法Ｌ６と第２外層リング２２ａの幅寸法Ｌ８との和、および第１内層リング２１ｂの幅寸法Ｌ７と第２内層リング２２ｂの幅寸法Ｌ９との和が、いずれもリングＲの幅寸法Ｌ１となるように形成されている。
【００７８】
したがって、各分割リング２１，２２の各対向面２１ｆ，２２ｆの凹凸形状は、各分割リング２１，２２が並列する状態で互いに点対称となっていて、第１分割リング２１と第２分割リング２２とを並列させる際に、それらの各対向面２１ｆ，２２ｆが互いに嵌り合って当接する形状となっている。そのため、第１分割リング２１と第２分割リング２２とを並列させることにより、幅寸法がＬ１で厚さがＴ１である矩形断面のリングＲが構成される。
【００７９】
このように各分割リング２１，２２が、それぞれ、各外層リング２１ａ，２２ａと各内層リング２１ｂ，２２ｂとによる２段構造となっていて、それらの各対向面２１ｆ，２２ｆが、互いに嵌り合うことが可能な２段の階段状に形成されていることにより、前述の図１２に示したような従来の構成による互いに断面が矩形で形状・寸法が等しい２本の分割リングｒ1，ｒ2を互いに重ね合わせる場合と比較して、リングＲすなわち２列の分割リング２１，２２とエレメントＥとを容易に組み付けることができる。
【００８０】
すなわち、上記のようにして２段構造の第１分割リング２１の上段側（すなわち外周側）の幅を短くし、かつ第２分割リング２２の下段側（すなわち内周側）の幅を短くすることにより、各分割リング２１，２２を容易に互いに重ね合わせた状態にすることができる。具体的には、第１分割リング２１の外周側に第２分割リング２２を重ね合わせる場合、第２分割リング２２を、第１分割リング２１の厚さＴ１全体に重ねなくとも、第１分割リング２１の第１内層リング２１ｂの厚さＴ４分だけ重ねることにより、それら各分割リング２１，２２を互いに重ね合わせた状態にして、リングＲの幅をエレメントＥの開口幅Ｗ１よりも狭くした状態を実現することができる。
【００８１】
そして、上記のように各分割リング２１，２２を互いに重ね合わせた状態にすることが容易になることに伴って、その互いに重ね合わせた状態から外周側に重ねられた第２分割リング２２を凹部７の抜け止め部９の内周側の部分に嵌め込む際に、各対向面２１ｆ，２２ｆのエッジ部同士、具体的には、対向面２１ｆにおける第１外層リング２１ａの外周側のエッジ部と、対向面２２ｆにおける第２内層リング２２ｂの内周側のエッジ部との干渉を回避もしくは抑制することができる。
【００８２】
また、上記のように各分割リング２１，２２が形成されることにより、エレメントＥの凹部７への２列の分割リング２１，２２の挿入が容易になる分、各分割リング２１，２２の幅を増大することができる。すなわち、各分割リング２１，２２が互いに重ね合わせられた状態にされてエレメントＥの凹部７に嵌め込まれる際に、各分割リング２１，２２のエッジ部同士の干渉が回避されて、凹部７の抜け止め部９の内周側の部分へ第２分割リング２２を嵌め込む際の余裕が増える分だけ、各分割リング２１，２２の幅を増大できる。そのため、例えば前述の図１２に示したような従来の構成によるリングｒ1，ｒ2と比較して、リングＲの幅を延長すること、すなわちリングＲの断面積を増大することができる。その結果、リングＲの強度あるいは耐久性を向上させることができ、ひいては伝動ベルトＶの耐久性や動力伝達容量を向上させることができる。
【００８３】
（組み付け例）
つぎに、この第２実施例における伝動ベルトＶの組み付け例を説明する。この第２実施例における伝動ベルトＶにおいても、前述した第１実施例における伝動ベルトＶと同様の方法で組み付けを行うことができる。すなわち、この第２実施例における伝動ベルトＶの組み付け方法では、エレメントＥに組み付けるリングＲとして、重ね合わせ状態を設定する際に重ね合わせられる部分のエッジ部同士の干渉が回避できるように形成された２種類の分割リング２１，２２、すなわち第１分割リング２１と第２分割リング２２とから構成されたリングＲを用いることにより、エレメントＥとリングＲとを容易に、かつ確実に組み付けることができるようになっている。
【００８４】
具体的には、先ず、リングＲを重ね合わせ状態にする場合には、第１分割リング２１の外周側に第２分割リング２２が重ね合わせられる。すなわち、第１分割リング２１における第１内層リング２１ｂの最外周面の対向面２１ｆ側の部分と、第２分割リング２２における第２内層リング２２ｂの最内周面の対向面２２ｆ側の部分とが互いに当接するように、第１分割リング２１と第２分割リング２２とが重ね合わせられる。
【００８５】
この場合、前述したように、第２分割リング２２を第１分割リング２１の厚さＴ１全体に重ねなくともよいため、すなわち第２分割リング２２を第１分割リング２１の第１内層リング２１ｂの厚さＴ４分だけ重ねればよいため、前述の図１２に示した従来の構成の分割リングｒ1，ｒ2を重ね合わせ状態にする場合と比較して、それら各分割リング２１，２２を容易に重ね合わせ状態にすることができる。したがって、各分割リング２１，２２を互いに重ね合わせるためにエレメントＥをローリングさせる場合のローリング量（すなわちローリングさせる角度）も、前述の図１２に示した従来の構成と比較して少なくて済む。
【００８６】
そして、その重ね合わせ状態にされた各分割リング２１，２２のうち、初めに、重ね合わせ状態で内周側に位置している第１分割リング２１の対向面２１ｆと反対側の側面２１ｅ側の端部が、エレメントＥの凹部７における抜け止め部８の内周側の部分に嵌め込まれる。そしてその後、重ね合わせ状態で外周側に位置している第２分割リング２２の対向面２２ｆと反対側の側面２２ｅ側の端部が、エレメントＥの凹部７における抜け止め部９の内周側の部分に嵌め込まれる。
【００８７】
この場合においても、第１分割リング２１の対向面２１ｆが、その内周側よりも外周側の方が幅が狭くなる階段状に形成され、反対に第２分割リング２２の対向面２２ｆが、その外周側よりも内周側の方が幅が狭くなる階段状に形成されていることから、第２分割リング２２をエレメントＥの凹部７における抜け止め部９側へ摺動させて、第２分割リング２２の側面２２ｅ側の端部を抜け止め部９の内周側の部分に嵌め込む際に、重ね合わせられた部分のエッジ部で干渉が生じて第２分割リング２２を抜け止め部９の内周側部分へ挿入する際の障害となったり、あるいはエッジ部が干渉する相手側に損傷を与えたりしてしまう事態を回避することができる。
【００８８】
このようにして、最後のエレメントＥとリングＲとが組み付けられること、すなわち所望する全てのエレメントＥとリングＲとが組み付けられることにより、伝動ベルトＶの組み付けが完了する。
【００８９】
以上のように、この発明の第２実施例による伝動ベルトＶおよびその組み付け方法によれば、２列に分割されるリングＲが、内周側に位置して相対的に幅が広い第１内層リング２１ａと外周側に位置して第１内層リング２１ｂよりも幅が狭い第１外層リング２１ａとの２段構造となっている第１分割リング２１と、それとは反対に、内周側に位置して相対的に幅が狭い第２内層リング２２ｂと外周側に位置して第２内層リング２２ｂよりも幅が広い第２外層リング２２ａとの２段構造となっている第２分割リング２２との２本の分割リング２１，２２から構成される。
【００９０】
そのため、それら２本の分割リング２１，２２をエレメントＥの凹部７に嵌め込んで組み付ける際に、先に第１分割リング２１をエレメントＥの凹部７における抜け止め部８の内周側に嵌め込み、後から第２分割リング２２をエレメントＥの凹部７における抜け止め部９の内周側に嵌め込むことにより、２列の分割リング２１，２２を互いに重ね合わせた状態にした際に、第１分割リング２１の外周面と対向面２１ｆとが接続するエッジ部と、第２分割リング２２の内周面と対向面２２ｆとが接続するエッジ部との干渉を回避もしくは抑制することができる。その結果、２列の分割リング２１，２２からなるリングＲとエレメントＥとを容易にかつ確実に組み付けることができ、伝動ベルトＶの組み付け性を向上させることができる。
【００９１】
（第３実施例）
つぎに、この発明の第３実施例における伝動ベルトを構成するエレメントおよびリングの構成を、図９ないし図１１に基づいて説明する。上記の第１，第２実施例が、エレメントＥに組み付けられる２列に分割されたリングＲが、それぞれ、厚さ方向における外周側が内周側よりも幅が狭くなるように形成された第１分割リングと、厚さ方向における内周側が外周側よりも幅が狭くなるように形成された第２分割リングとによって構成された例を示しているのに対して、この第３実施例では、相対的に幅が狭い幅狭分割リングと、その幅狭分割リングよりも幅が広い幅広分割リングとによってリングＲが構成された例を示してある。したがって、これら２種類の分割リングに関連する部分以外の、前述の図１ないし図５，図７，図８に示す第１，第２実施例と同じ構成の部分については、図９ないし図１１に、図１ないし図５，図７，図８と同じ参照符号を付けて、その詳細な説明は省略する。
【００９２】
図９において、この第２実施例における伝動ベルトＶは、エレメントＥと、幅狭分割リング３１および幅広分割リング３２からなるリングＲとにより構成されている。このうちリングＲを構成する各分割リング３１，３２は、互いに材質、強度、および周長（具体的には最内周面の周長）が等しい金属製の積層リングにより形成されている。また、リングＲの幅寸法Ｌ１、すなわち各分割リング３１，３２が並列した状態での合計の幅寸法Ｌ１が、エレメントＥの凹部７の開口幅Ｗ１よりも長く、開口幅Ｗ２よりも短い範囲内の値となるように各部の形状・寸法が設定されて形成されている。
【００９３】
各分割リング３１，３２は、互いに材質、強度、および周長（具体的には最内周面の周長）が等しい金属製の積層リングにより形成されている。また、リングＲの幅寸法Ｌ１、すなわち各分割リング３１，３２が並列した状態での合計の幅寸法Ｌ１が、エレメントＥの凹部７の開口幅Ｗ１よりも長く、開口幅Ｗ２よりも短い範囲内の値となるように各部の形状・寸法が設定されて形成されている。
【００９４】
具体的には、図１０に示すように、各分割リング３１，３２は、リングＲの周長方向に直角な平面による断面の形状がそれぞれ異なっている。すなわち、幅狭分割リング３１は、厚さが厚さＴ１で、幅が相対的に狭い、具体的にはリングＲの幅寸法Ｌ１の半分（Ｌ１／２）よりも狭い幅寸法Ｌ１０である矩形断面となるように形成されている。一方、幅広分割リング３２は、厚さが厚さＴ１で、幅が相対的に広い、具体的にはリングＲの幅寸法Ｌ１の半分（Ｌ１／２）よりも広い幅寸法Ｌ１１である矩形断面となるように形成されている。
【００９５】
そして、幅狭分割リング３１の幅寸法Ｌ１０と幅広分割リング３２の幅寸法Ｌ１１との和が、リングＲの幅寸法Ｌ１となるように形成されている。したがって、各分割リング３１，３２の各対向面３１ｄ，３２ｄを当接させて幅狭分割リング３１と幅広分割リング３２とを並列させることにより、幅寸法がＬ１で厚さがＴ１である矩形断面のリングＲが構成される。
【００９６】
ここで、幅広分割リング３２の幅寸法Ｌ１１が幅狭分割リング３１の幅寸法Ｌ１０の少なくとも１．５倍以上となるように、好ましくは、幅狭分割リング３１の幅寸法Ｌ１０がエレメントＥの凹部７における抜け止め部８の内周側の係合部分の長さ（すなわち（Ｗ１−Ｗ２）／２）よりも長く、かつ幅広分割リング３２の幅寸法Ｌ１１が幅狭分割リング３１の幅寸法Ｌ１０の１．８倍から２．５倍程度の範囲内の長さとなるように、各幅寸法Ｌ１０，Ｌ１１が設定されて各分割リング３１，３２がそれぞれ形成されている。
【００９７】
このように各分割リング３１，３２の幅に適切な差を設けて、各分割リング３１，３２の形状をそれぞれ異ならせることにより、前述の図１２に示したような従来の構成による互いに断面が矩形で形状・寸法が等しい２本の分割リングｒ1，ｒ2を互いに重ね合わせる場合と比較して、リングＲすなわち２列の分割リング３１，３２とエレメントＥとを容易に組み付けることができる。
【００９８】
すなわち、上記のようにして幅狭分割リング３１の幅を短くすることにより、図１１に示すように、各分割リング３１，３２がエレメントＥの凹部７の内部に挿入された状態で、各分割リング３１，３２を容易に互いに重ね合わせた状態にすることができる（図１１の（ａ））。そして、その互いに重ね合わせた状態から外周側に重ねられた幅広分割リング３２を凹部７の抜け止め部９の内周側の部分に嵌め込む際に、幅狭分割リング３１の対向面３１ｄと最外周面３１ａとが接続するエッジ部と、幅広分割リング３２の対向面３２ｄと最内周面３２ｂとが接続するエッジ部との干渉を回避もしくは抑制することができる（図１１の（ｂ））。
【００９９】
また、上記のように各分割リング３１，３２が互いの幅寸法Ｌ１０，Ｌ１１に差が設けられて形成されることにより、エレメントＥの凹部７への２列の分割リング３１，３２の挿入が容易になる分、各分割リング３１，３２の幅を増大することができる。すなわち、各分割リング３１，３２が互いに重ね合わせられた状態にされてエレメントＥの凹部７に嵌め込まれる際に、各分割リング３１，３２のエッジ部同士の干渉が回避されて、凹部７の抜け止め部９の内周側の部分へ幅広分割リング３２を嵌め込む際の余裕が増える分だけ、各分割リング３１，３２の幅を増大できる。そのため、例えば前述の図１２に示したような従来の構成によるリングｒ1，ｒ2と比較して、リングＲの幅を延長すること、すなわちリングＲの断面積を増大することができる。その結果、リングＲの強度あるいは耐久性を向上させることができ、ひいては伝動ベルトＶの耐久性や動力伝達容量を向上させることができる。
【０１００】
（組み付け例）
つぎに、この第３実施例における伝動ベルトＶの組み付け例を説明する。この第３実施例における伝動ベルトＶにおいても、前述した第１，第２実施例における伝動ベルトＶと同様の方法で組み付けを行うことができる。すなわち、この第３実施例における伝動ベルトＶの組み付け方法では、エレメントＥに組み付けるリングＲとして、互いの幅寸法Ｌ１０，Ｌ１１に差が設けられて形成された２種類の分割リング３１，３２、すなわち幅狭分割リング３１と幅広分割リング３２とから構成されたリングＲを用いることにより、エレメントＥとリングＲとを容易に、かつ確実に組み付けることができるようになっている。
【０１０１】
具体的には、先ず、リングＲを重ね合わせ状態にする場合には、幅狭分割リング３１の外周側に幅広分割リング２２が重ね合わせられる。すなわち、幅狭分割リング３１の最外周面３１ａの対向面３１ｄ側の部分と、幅広分割リング３２の最内周面３２ｂの対向面３２ｄ側の部分とが互いに当接するように、幅狭分割リング３１と幅広分割リング３２とが重ね合わせられる。
【０１０２】
この場合、各分割リング３１，３２が、前述したように、幅狭分割リング３１が相対的に幅が狭くなるように形成されているため、前述の図１２に示した従来の構成の分割リングｒ1，ｒ2を重ね合わせ状態にする場合と比較して、それら各分割リング３１，３２を、各分割リング３１，３２がエレメントＥの凹部７の内部に挿入された状態で容易に重ね合わせ状態にすることができる。したがって、各分割リング３１，３２を互いに重ね合わせるためにエレメントＥをローリングさせる場合のローリング量（すなわちローリングさせる角度）も、前述の図１２に示した従来の構成と比較して少なくて済む。
【０１０３】
そして、その重ね合わせ状態にされた各分割リング３１，３２のうち、初めに、重ね合わせ状態で内周側に位置している幅狭分割リング３１の対向面３１ｄと反対側の側面３１ｃ側の端部が、エレメントＥの凹部７における抜け止め部８の内周側の部分に嵌め込まれる（図１１の（ａ））。そしてその後、重ね合わせ状態で外周側に位置している幅広分割リング３２の対向面３２ｄと反対側の側面３２ｃ側の端部が、エレメントＥの凹部７における抜け止め部９の内周側の部分に嵌め込まれる（図１１の（ｂ））。
【０１０４】
この場合においても、幅狭分割リング３１が相対的に幅が狭くなるように形成されていることから、幅広分割リング３２をエレメントＥの凹部７における抜け止め部９側へ摺動させて、幅広分割リング３２の側面３２ｃ側の端部を抜け止め部９の内周側の部分に嵌め込む際に、重ね合わせられた部分のエッジ部で干渉が生じて幅広分割リング３２を抜け止め部９の内周側部分へ挿入する際の障害となったり、あるいはエッジ部が干渉する相手側に損傷を与えたりしてしまう事態を回避することができる。
【０１０５】
このようにして、最後のエレメントＥとリングＲとが組み付けられること、すなわち所望する全てのエレメントＥとリングＲとが組み付けられることにより、伝動ベルトＶの組み付けが完了する。
【０１０６】
以上のように、この発明の第３実施例による伝動ベルトＶおよびその組み付け方法によれば、２列に分割されるリングＲが、共に周長が等しくかつ断面が矩形であって、相対的に幅が狭い幅狭分割リング３１と、その幅狭分割リング３１よりも幅が広い幅広分割リング３２との２本の分割リング３１，３２から構成される。したがって、それら２本の分割リング３１，３２をエレメントＥの凹部７に嵌め込んで組み付ける際に、先に幅狭分割リング３１をエレメントＥの凹部７における抜け止め部８の内周側に嵌め込み、後から幅広分割リング３２をエレメントＥの凹部７における抜け止め部９の内周側に嵌め込むことにより、凹部７の抜け止め部９の内周側の空間により深く幅広分割リング３２を挿入することができる。
【０１０７】
したがって、後から嵌め込む幅広分割リング３２をよりエレメントＥに近づけた状態で、言い換えると、幅広分割リング３２の幅方向とエレメントＥの幅方向とのなす角度がより小さくなる状態で、幅広分割リング３２を凹部７の抜け止め部９の内周側に嵌め込むことができる。そのため、各分割リング３１，３２を互いに重ね合わせた状態にしなくとも、もしくは僅かに重ね合わせるだけで、凹部７の両抜け止め部８，９の内周側に各分割リング３１，３２を嵌め込むことができ、各分割リング３１，３２の対向するエッジ部分同士の干渉を回避もしくは抑制することができる。その結果、２列の分割リング３１，３２からなるリングＲとエレメントＥとを容易にかつ確実に組み付けることができ、伝動ベルトＶの組み付け性を向上させることができる。
【０１０８】
なお、この発明は上述した具体例に限定されない。すなわち、第１実施例および第２実施例では、それぞれ、第１分割リング１３，２１の断面形状と第２分割リング１４，２２の断面形状とが点対称となっている、言い換えると、第１分割リング１３，２１の断面積と第２分割リング１４，２２の断面積とが等しくなっている例を示しているが、それら各第１分割リング１３，２１と各第２分割リング１４，２２とは、それぞれ、それらの断面形状が点対称でなくとも、あるいはそれらの断面積が等しくなくともよい。例えば、第３実施例で示した、互いの幅寸法（あるいは断面積）に差が設けられた幅狭分割リング３１および幅広分割リング３２において、それらが並列する際に互いに対向する各対向面３１ｄ，３２ｄを、第１の各分割リング１３，１４における各対向面１３ｄ，１４ｄ、あるいは第２実施例の各分割リング２１，２２における各対向面２１ｆ，２２ｆのように形成することも可能である。
【０１０９】
また、この発明の伝動ベルトがベルト式無段変速機に使用されている例を示しているが、この発明の伝動ベルトは、ベルト式無段変速機に限らず、ベルトとプーリとによって構成される他の巻き掛け伝動装置の伝動ベルトにも適用することができる。
【図面の簡単な説明】
【０１１０】
【図１】この発明に係る伝動ベルトの第１実施例における構成を示す模式図であって、その伝動ベルトの正面図である。
【図２】この発明に係る伝動ベルトの第１実施例における構成を示す模式図であって、その伝動ベルトの一部側断面図である。
【図３】この発明に係る伝動ベルトの第１実施例におけるリングの構成を示す模式図である。
【図４】この発明に係る伝動ベルトの第１実施例におけるエレメントとリングとの組み付け状態を説明するための模式図である。
【図５】第１実施例におけるリングの詳細な構成を説明するための模式図である。
【図６】この発明の伝動ベルトを構成するリングを重ね合わせた状態と並列させた状態とを説明するための模式図である。
【図７】この発明に係る伝動ベルトの第２実施例における構成を示す模式図であって、その伝動ベルトの正面図である。
【図８】この発明に係る伝動ベルトの第２実施例におけるリングの構成を示す模式図である。
【図９】この発明に係る伝動ベルトの第３実施例における構成を示す模式図であって、その伝動ベルトの正面図である。
【図１０】この発明に係る伝動ベルトの第３実施例におけるリングの構成を示す模式図である。
【図１１】この発明に係る伝動ベルトの第３実施例におけるエレメントとリングとの組み付け状態を説明するための模式図である。
【図１２】従来の構成による伝動ベルトにおけるエレメントとリングとの組み付け状態を説明するための模式図である。
【図１３】従来の構成による伝動ベルトにおけるエレメントとリングとの他の組み付け状態を説明するための模式図である。
【符号の説明】
【０１１１】
Ｅ…エレメント、  Ｒ…リング、  Ｖ…伝動ベルト、  ３…本体部（基体部）、  ４…プーリ、  ５ａ，６ａ…内側面、  ７…凹部、  ８，９…抜け止め部、  １０…ロッキングエッジ、  １３，２１…第１分割リング、  １４，２２…第２分割リング、  ２１ａ…第１外層リング、  ２１ｂ…第１内層リング、  ２２ａ…第２外層リング、  ２２ｂ…第２内層リング、  ３１…幅狭分割リング、  ３２…幅広分割リング。
【図１】
0004807351.tif 000002
【図２】
0004807351.tif 000003
【図３】
0004807351.tif 000004
【図４】
0004807351.tif 000005
【図５】
0004807351.tif 000006
【図６】
0004807351.tif 000007
【図７】
0004807351.tif 000008
【図８】
0004807351.tif 000009
【図９】
0004807351.tif 000010
【図１０】
0004807351.tif 000011
【図１１】
0004807351.tif 000012
【図１２】
0004807351.tif 000013
【図１３】
0004807351.tif 000014